(57)【特許請求の範囲】
【請求項１】
タイトフレームの凸部の傾斜面に設けられた係止部に、折板材の谷部の両側に設けられた被係止部を係止することで折板屋根が形成され、この折板屋根から被吊持物を吊り下げるために用いられる吊り金具であって、
前記折板材の谷部の下方に配置され、前記被吊持物を吊り下げるための吊体が設けられる下面部と、
この下面部における前記折板材の長手方向に平行な方向の両端に立設された一対の側面部と
を備え、
前記一対の側面部における前記折板材の短手方向に平行な方向の両側に、前記折板材の谷部の両側の被係止部にそれぞれ係合する一対の係合部が設けられている
ことを特徴とする折板屋根用吊り金具。
【請求項２】
前記吊り金具は、第１の金具と第２の金具とが着脱自在に連結されており、
第１の金具に、折板材の谷部の一方側の被係止部に係合する第１の係合部が設けられ、
第２の金具に、折板材の谷部の他方側の被係止部に係合する第２の係合部が設けられている
ことを特徴とする請求項１記載の折板屋根用吊り金具。
【発明の詳細な説明】
【技術分野】
【０００１】
本発明は、折板屋根用吊り金具に関する。
【背景技術】
【０００２】
横架材上にタイトフレームを取り付け、このタイトフレームに折板材を固定することで、折板屋根が形成される（例えば特許文献１参照）。従来、この折板屋根の下方に天井等の被吊持物を取り付ける場合、図１０に示すように、折板屋根１０３に吊り金具１００を固定し、この吊り金具１００を介して、被吊持物を吊り下げる。
【０００３】
この種の吊り金具１００は、図９に示されるように、薄板状の金属材により主体が構成されている。吊り金具１００は、上端が屈曲しており、下端に被吊持物を吊り下げるための吊りボルト１０４が取り付けられる。吊り金具１００は、図１０に示されるように、屈曲した上端１０１を、折板屋根１０３のはぜ継ぎ固定部１０２に巻き込むようにして取り付けられる。
【先行技術文献】
【特許文献】
【０００４】
【特許文献１】特開２００８−１６３７４号公報
【発明の概要】
【発明が解決しようとする課題】
【０００５】
ところでこの吊り金具１００は、その上端１０１を折板屋根１０３のはぜ継ぎ固定部１０２に巻き込んで固定しただけである。このためこの構造は、地震等により被吊持物が揺動した場合、はぜ継ぎ固定部１０２の長手方向（吊り金具１００の鉛直面に沿った方向）への揺れに対してはそれなりに抵抗力を有するものの、吊り金具１００の鉛直面とは直交する方向への揺れに対してはほとんど抵抗力を有さなかった。従ってこの従来の吊り金具１００が用いられた構造では、地震等が起こった場合、被吊持物が大きく揺動することがあった。
【０００６】
本発明は、上記事情に鑑みてなされたものであり、その目的とするところは、地震等が起こった場合にも、被吊持物の揺動を極力低減させることができる折板屋根用吊り金具を提供することにある。
【課題を解決するための手段】
【０００７】
本発明の折板屋根用吊り金具は、タイトフレームの凸部の傾斜面に設けられた係止部に、折板材の谷部の両側に設けられた被係止部を係止することで折板屋根が形成され、この折板屋根から被吊持物を吊り下げるために用いられる吊り金具であって、前記折板材の谷部の下方に配置され、前記被吊持物を吊り下げるための吊体が設けられる下面部と、この下面部における前記折板材の長手方向に平行な方向の両端に立設された一対の側面部とを備え、前記一対の側面部における前記折板材の短手方向に平行な方向の両側に、前記折板材の谷部の両側の被係止部にそれぞれ係合する係合部が設けられていることを特徴とする。
【０００８】
またこの折板屋根用吊り金具は、第１の金具と第２の金具とが着脱自在に連結されており、第１の金具に、折板材の谷部の一方側の被係止部に係合する第１の係合部が設けられ、第２の金具に、折板材の谷部の他方側の被係止部に係合する第２の係合部が設けられていることが好ましい。
【発明の効果】
【０００９】
本発明の折板屋根用吊り金具によれば、地震等が起こった場合にも、被吊持物の揺動を極力低減させることができる。
【図面の簡単な説明】
【００１０】
【図１】本実施形態の折板屋根用吊り金具の斜視図である。
【図２】本実施形態の折板屋根用吊り金具を折板屋根に取り付けた状態の正面図である。
【図３】本実施形態の第１の金具の図であり（ａ）は平面図であり（ｂ）は正面図であり（ｃ）は側面図である。
【図４】本実施形態の第２の金具の図であり（ａ）は平面図であり（ｂ）は正面図であり（ｃ）は側面図である。
【図５】本実施形態の折板屋根用吊り金具を取り付ける折板屋根の断面図である。
【図６】上記折板屋根のタイトフレームの一部破断した斜視図である。
【図７】上記折板屋根の折板材の斜視図である。
【図８】本実施形態の被吊持物の取付構造を示す斜視図である。
【図９】従来例の吊り金具の斜視図である。
【図１０】従来の吊り金具の取り付け状態の参考図である。
【発明を実施するための形態】
【００１１】
以下、本発明の実施形態について添付図面に基づいて説明する。
【００１２】
本実施形態の折板屋根用吊り金具（以下、吊り金具５という）は、図２，５に示されるように、タイトフレーム２の凸部２１の傾斜面２３に設けられた係止部２４に、折板材３の谷部３１の両側に設けられた被係止部４１を係止することで形成された折板屋根１に取り付けられるものである。
【００１３】
タイトフレーム２は、母屋等の横架材（図示せず）に載設され、折板材３を固定する。タイトフレーム２は、帯状鋼板等の金属板を曲げ加工することで形成される。タイトフレーム２は、図６に示されるように、正面視逆Ｕ字状の凸部２１と、この凸部２１の両側の下端からその長手方向に向けて延設された固定部２２とを備えている。本実施形態のタイトフレーム２は、横架材上に固定部２２が載置され、この状態で横架材と固定部２２とを溶接等して固定される。
【００１４】
凸部２１は、略水平板状の頂部２５と、当該頂部２５の両端部から外側斜め下方に向けて延設された脚部２６とを備えている。各脚部２６は傾斜しており、その傾斜面２３には係止部２４が設けられている。係止部２４は、脚部２６の傾斜面２３から、斜め下方に向けて突出している。係止部２４は、例えば、脚部２６の一部を切り起こして形成される。本実施形態の係止部２４は、脚部２６の上下方向の中央よりも上側に設けられた第１の係止部２４１と、脚部２６の上下方向の中央よりも下側に設けられた第２の係止部２４２とを備えている。
【００１５】
タイトフレーム２は、横架材の長手方向に沿って略直線状に複数個が隣接配置されると共に、この長手方向とは直角な方向に離間して複数個が並設されている。横架材の長手方向とは直交する方向に離設されたタイトフレーム２同士は、互いに略平行となるよう配置される。これにより、タイトフレーム２の凸部２１は、横架材の長手方向と平行な方向に、略同一直線上に配置され、横架材の長手方向とは直角な方向に、離間した状態で略同一直線上に並ぶ。なお、このタイトフレーム２の並設方向（つまり横架材の長手方向に直角な方向）が屋根勾配方向となる。
【００１６】
タイトフレーム２については、複数のタイトフレーム２を直線状に並べて凸部２１を並設してもよいし、複数の凸部２１を有する一つのタイトフレーム２を配置してもよい。
【００１７】
なお横架材は、建物の母屋や梁（小梁を含む）等が上げられる。横架材は、例えば、Ｈ型綱やＣ型綱やリップ溝形綱などにより構成される。
【００１８】
折板材３は、塗装鋼板や亜鉛めっき鋼板などの金属板を曲げ加工することで形成される。折板材３は、屋根勾配方向（流れ方向）に長尺に形成されている。折板材３は、図７に示されるように、断面略Ｕ字状に形成されており、平坦な谷部３１と、その両方の側端部（屋根勾配方向に直角な方向の両端部）からそれぞれ斜め上方に向けて突出する山部半体３３，３７とを備えている。谷部３１には、一対の段部３２が、曲げ加工により折板材３の長手方向の略全長に亘って形成されている。
【００１９】
一方の山部半体３３（図７中右側）は、谷部３１の一方の側端から外側方（谷部３１とは反対側）の斜め上方に向かって突出する傾斜部３４と、この傾斜部３４の上端から外側方（谷部３１とは反対側）に向かって略水平に突出する頂部３５と、この頂部３５の端部から上方に向かって突出する断面略逆Ｕ字状の嵌合部３６とを備えている。
【００２０】
他方の山部半体３７（図７中左側）は、谷部３１の一方の側端から外側方（谷部３１とは反対側）の斜め上方に向かって突出する傾斜部３８と、この傾斜部３８の上端から外側方（谷部３１とは反対側）に向かって略水平に突出する頂部３９と、この頂部３９の端部から上方に向かって突出する断面略倒Ｌ字状の被嵌合部４０とを備えている。
【００２１】
山部半体３３，３７の傾斜部３４，３８は、それぞれ被係止部４１，４１を有している。被係止部４１，４１は、傾斜部３４，３８の一部が、裏面側に突出するよう段状に折り曲げられて形成される。被係止部４１は、傾斜部３４，３８の上下方向の中央よりも上側に形成された第１の被係止部４０１と、傾斜部３４，３８の上下方向の中央よりも下側に形成された第２の被係止部４０２とを備えている。被係止部４１は、折板材３の長手方向の全長に亘って形成されている。
【００２２】
折板屋根１は、例えば、次のようにして葺設される。
【００２３】
施工者は、まず、複数個のタイトフレーム２を建物の横架材の上に固定する。このとき、タイトフレーム２の固定部２２を横架材上に載せ、固定部２２を溶接などにより接合する。施工者は、タイトフレーム２を横架材の長手方向に並べて複数個取り付け、横架材の長手方向（屋根勾配方向とは直交する方向）の略全長に亘ってタイトフレーム２を並設する。このようにして施工者は、順次、タイトフレーム２を複数の横架材上に取り付ける。
【００２４】
次に、施工者は、屋根勾配方向に離設された複数のタイトフレーム２上に、一枚の折板材３を架設する。このとき、タイトフレーム２に折板材３を上側から被せるように配置し、当該タイトフレーム２の隣り合う凸部２１間に、折板材３の谷部３１を位置させる。
【００２５】
次に、折板材３の一方の山部半体３３とこれに近接する一方の凸部２１とを連結すると共に、折板材３の他方の山部半体３７とこれに近接する他方の凸部２１とを連結する（図５参照）。このとき、山部半体３３，３７に設けられた第１の被係止部４０１を、凸部２１に設けられた第１の係止部２４１の先端（下端）に係止する。また山部半体３３，３７に設けられた第２の被係止部４０２を、凸部２１に設けられた第２の係止部２４２の先端（下端）に係止する。
【００２６】
これにより、折板材３の両側の山部半体３３，３７がタイトフレーム２に保持される。このとき、折板材３の山部半体３３，３７の頂部３５，３９は、凸部２１の頂部２５の上側に配置される。
【００２７】
次いで施工者は、同じようにして、隣接する他の折板材３を配置する。このとき、既に配置した折板材３の被嵌合部３６に、隣接する他の折板材３の嵌合部４０を覆い被せるよう配置する。そして施工者は、屋根勾配方向とは直角な方向に重なる折板材３の嵌合部４０と被嵌合部３６とをはぜ継ぎ固定する。
【００２８】
なお、本実施形態のタイトフレーム２は吊子が設けられていないが、タイトフレーム２に吊子が取り付けられていてもよい。この場合、嵌合部４０及び被嵌合部３６は、吊子と一緒にはぜ締めされる。
【００２９】
この後、屋根勾配方向とは直角な方向に、順次、同じようにして折板材３を固定する。この作業を屋根面全面に亘って繰り返し行い、これにより断面角波状の折板屋根１が形成される。
【００３０】
なお折板材３は、はぜ締めにより接合されていなくてもよく、例えば、ボルト留めや嵌合方式により固定されてもよい。
【００３１】
このような構成の折板屋根１に、当該折板屋根１から被吊持物９を吊り下げるために、吊り金具５が取り付けられる。
【００３２】
吊り金具５は、図２に示されるように、折板材３の谷部３１の両側に位置する被係止部４１に、両側から挟んだ状態で係止することで、折板屋根１に取り付けられる。吊り金具５は、第１の金具６及び第２の金具７により構成された吊り具本体５０と、吊り具本体５０の長手方向の両端にそれぞれ設けられた係合部５１と、吊り具本体５０に設けられ且つ被吊持物９を吊り下げるための吊体８が取り付けられる吊体取付部６９，７９とを備えている。
【００３３】
係合部５１は、第１の金具６と第２の金具７とにそれぞれ設けられている。以下、第１の金具６に設けられた係合部５１を第１の係合部６７とし、第２の金具７に設けられた係合部５１を第２の係合部７７とする。
【００３４】
吊り具本体５０は、図１に示されるように、上方が開口した断面略コ字状をしており、金属板を曲げ加工することで形成されている。吊り具本体５０は、第１の金具６と第２の金具７とに分割されており、第１の金具６と第２の金具７とを着脱自在に連結することで構成されている。
【００３５】
第１の金具６は、図３に示されるように、平面視長矩形状の下面部６１と、下面部６１の幅方向両端からそれぞれ立設された側面部６２とを備えている。第１の金具６は、長手方向の一方の端部に、第２の金具７に接続される第１の接続部６３を有している。第１の接続部６３は、側面部６２の長手方向の端部から外方に向けて突設された一対の接続片６４を有している。接続片６４には固着具挿通孔６５が穿設されている。下面部６１には、吊体８が取り付けられる吊体取付部６９が設けられている。本実施形態の吊体取付部６９は、上下方向に貫通する貫通孔６９１と、この貫通孔６９１に連通するよう下面部６１の上面に固着されたナット６９２とを備えている。
【００３６】
第１の金具６は、長手方向の他方の端部に第１の係合部６７が設けられている。第１の係合部６７は、折板材３の一方側の山部半体３３の第２の被係止部４０２に係止される。第１の係合部６７は、折板材３の山部半体３３の傾斜部３４の基端部４２に当接する第１の当接部６６と、第１の当接部６６の上端に設けられた第１の係止爪６８とを備えている。第１の当接部６６は、折板材３の傾斜部３４の基端部４２に沿うよう傾斜している。第１の係合部６７は、離設された一対の側面部６２の端部により構成されており、これにより一定の幅を有している。
【００３７】
第２の金具７は、図４に示されるように、平面視長矩形状の下面部７１と、下面部７１の幅方向両端からそれぞれ立設された側面部７２とを備えている。第２の金具７は、長手方向の一方の端部に、第１の金具６の第１の接続部６３に接続される第２の接続部７３を有している。第２の接続部７３は、側面部７２の長手方向の端部から外方に向けて突設された一対の接続片７４を有している。接続片７４には固着具挿通孔７５が穿設されている。下面部７１には、吊体８が取り付けられる吊体取付部７９が設けられている。本実施形態の吊体取付部７９は、第１の金具６と同様、上下方向に貫通する貫通孔７９１と、この貫通孔７９１に連通するよう下面部７１の上面に固着されたナット７９２とを備えている。
【００３８】
第２の金具７は、長手方向の他方の端部に第２の係合部７７が設けられている。第２の係合部７７は、折板材３の他方側の山部半体３７の第２の被係止部４０２に係止される。第２の係合部７７は、折板材３の山部半体３７の傾斜部３８の基端部４２に当接する第２の当接部７６と、第２の当接部７６の上端に設けられた第２の係止爪７８とを備えている。第２の当接部７６は、折板材３の傾斜部３４の基端部４２に沿うよう傾斜している。第２の係合部７７は、離設された一対の側面部７２の端部により構成されており、これにより一定の幅を有している。
【００３９】
このような構成の吊り金具５は、第１の金具６の接続片６４と、第２の金具７の接続片７４とを互いに当接又は対向させた状態で、両方の固着具挿通孔６５，７５にボルトを挿入し、ナットを螺合することで、第１の金具６と第２の金具７とが連結される。吊り金具５は、第１の係止爪６８と第２の係止爪７８との間の対向間の寸法Ｌ１が、折板材３の両側の被係止部４１の表面側への突先端の裏面間の寸法Ｌ２と略同寸法となるよう（又はそれよりもやや短くなるよう）形成されている。
【００４０】
なお、この吊り金具５は、第１の係止爪６８と第２の係止爪７８との間の対向間の寸法Ｌ１は、固着具挿通孔６５，７５に挿入されたボルト・ナットの螺合具合により調整可能となっている。言い換えると、ボルト・ナットが、第１の係止爪６８と第２の係止爪７８との間の対向間の寸法Ｌ１の長さ調整手段を構成する。
【００４１】
吊り金具５を上記構成の折板屋根１に取り付けるには、次のように施工する。
【００４２】
まず施工者は、第１の金具６を把持し、その第１の係合部６７の第１の係止爪６８を、折板材３の一方の山部半体３３の傾斜部３４の第２の被係止部４０２に引掛けた状態で保持する。この後施工者は、第２の金具７を把持して、その第２の係合部７７の第２の係止爪７８を、折板材３の他方の山部半体３７の傾斜部３８の第２の被係止部４０２に引掛けて、第２の金具７の接続片７４を第１の金具６の接続片６４に対向させる。この後、固着具挿通孔６５，７５にボルト（固着具）を挿入して第１の金具６と第２の金具７とを連結する。
【００４３】
この後、吊り金具５のいずれかの吊体取付部６９（７９）に吊体８を取り付ける。本実施形態の吊体８は、吊りボルト８１により構成されており、吊り金具５の吊体取付部６９（７９）に下方から螺合することで取り付けられる。この吊りボルト８１には、図８に示されるように、被吊持物９が取り付けられる。
【００４４】
被吊持物９は、例えば、天井材９１や空気調和機，ダクト配管，配線ダクト等により構成される。なお、被吊持物９としては、これらのいずれか一つであってもよいし、複数種類を組み合わせたものであってもよい。以下、被吊持物９として天井材９１が用いられた場合につき説明する。
【００４５】
天井材９１は、図８に示されるように、天井面板９２と、天井面板９２の上面に互いに平行するよう複数並設された野縁９３と、野縁９３の上面に当該野縁９３の長手方向とは直角な方向に架設された野縁受け９４とを備えている。野縁９３と野縁受け９４とは、例えば溝形鋼（いわゆるチャンネル）により構成されており、互いに固定されている。
【００４６】
野縁受け９４には、図８に示されるように、逆Ｌ字状のハンガー９５が取り付けられている。このハンガー９５は、下部に設けられて当該ハンガー９５を野縁受け９４に固定する固着部９６と、上部に設けられて吊体８の下端部に連結される接続部９７とを備えている。
【００４７】
また天井材９１は、天井面板９２の揺れを防ぐためのブレス材９８を有している。ブレス材９８は、一方向に長尺な補強部材により構成される。ブレス材９８は、上方側に位置する端部が、吊りボルト８１の上端部（吊り金具５の直ぐ下方）に固定され、下方側に位置する端部が野縁受け９４に固定される。このブレス材９８は、例えば溝形鋼（いわゆるチャンネル）や等辺山形鋼(いわゆるアングル)により構成される。
【００４８】
このような天井上構造において、地震等が発生し、天井面板９２が水平方向に揺れると、この水平方向の揺れは、野縁受け９４とブレス材９８と吊りボルト８１とにより規制される。このときこの揺れの力は、吊りボルト８１を介して吊り金具５に伝達する。
【００４９】
本実施形態の吊り金具５は、折板材３の谷部３１の両側の被係止部４１，４１に両外側から挟むようにして係合部５１が係止されて、これにより強固に取り付けられている。このため、従来の吊り金具１００のように吊り金具１００自体が揺動してしまうことを防ぐことができ、したがって天井材９１の揺れを規制することができる。
【００５０】
また本実施形態の吊り金具５は、第１の金具６と第２の金具７とが着脱自在に連結されているため、施工者が、一対の係合部５１，５１を折板材３の両側の被係止部４１に外側から係止するよう取り付けるのが容易となる。
【００５１】
しかも本実施形態の吊り金具５は、第１の金具６の第１の当接部６６と折板材３の一方の山部半体３３の基端部４２とが当接し、且つ第２の金具７の第２の当接部７６と折板材３の他方の山部半体３７の基端部４２とが当接しているため、より安定して強固に取り付けられている。
【００５２】
また本実施形態の吊り金具５は、タイトフレーム２の凸部２１の傾斜面２３に設けられた係止部２４に、折板材３の谷部３１の両側に設けられた被係止部４１を係止することで形成された折板屋根１において、この被係止部４１を利用して取り付けることができるものである。このため、本実施形態の吊り金具５は、既存の折板屋根１に後付け的に設置することも容易である。
【００５３】
なお、本実施形態の吊体取付部６９，７９は、予めナット６９２，７９２が溶接されたものであったが、このナット６９２，７９２は溶接されていなくてもよい。また吊体８の固定については、ナットを用いたものでなくてもよい。
【００５４】
また本実施形態の折板屋根用吊り金具は、第１の金具６と第２の金具７とが、ボルト・ナットにより連結されていたが、本発明において第１の金具と第２の金具との連結手段は、ボルト・ナットに限定されない。例えば、第１の金具の接続片に貫通孔を設け、第２の金具の接続片に雌ネジ孔を設け、ボルトにより両者を連結するものであってもよい。また、第１の金具と第２の金具とをカシメにより連結したり、溶接により連結したりしてもよい。
【００５５】
また、第１の金具と第２の金具との間に別の部材を介して、第１の金具と第２の金具とを連結したものであってもよい。また吊り金具を一部材で構成し、折板屋根又は吊り金具の一部を弾性変形させて装着するようなものであってもよい。
【符号の説明】
【００５６】
１    折板屋根
２    タイトフレーム
２１  凸部
２２  固定部
２３  傾斜面
２４  係止部
２４１  第１の係止部
２４２  第２の係止部
３    折板材
３１  谷部
３３  山部半体
３４  傾斜部
３７  山部半体
３８  傾斜部
４１  被係止部
４０１  第１の被係止部
４０２  第２の被係止部
５    吊り金具
５０  吊り具本体
５１  係合部
６  第１の金具
６７  第１の係合部
６９  吊体取付部
７  第２の金具
７７  第２の係合部
８  吊体
８１  吊りボルト
９  被吊持物
９１  天井材
【図１】
0005886579.tif 000002
【図２】
0005886579.tif 000003
【図３】
0005886579.tif 000004
【図４】
0005886579.tif 000005
【図５】
0005886579.tif 000006
【図６】
0005886579.tif 000007
【図７】
0005886579.tif 000008
【図８】
0005886579.tif 000009
【図９】
0005886579.tif 000010
【図１０】
0005886579.tif 000011